(57)【特許請求の範囲】
【請求項１】
木造の躯体軸組を有する２階建て以上の建物に吹抜け空間を設け、該吹抜け空間に面した外壁に２階層以上の高さにわたって開口部を設ける場合の軸組構造であって、
断面の長軸寸法が短軸寸法の少なくとも２倍以上である中断面または大断面の構造用集成材からなる耐風柱を、上下階にわたって途切れなく連続するように、かつ、断面の長軸方向が開口面と直交するようにして、開口部の両側部を含む開口面内に複数本、立設し、 それら耐風柱の柱脚は、適宜の柱脚金物を介して、鉄筋コンクリート製の基礎に直接、固定する一方、それら耐風柱の柱頭は、適宜の柱梁金物を介して軒桁またはこれに準ずる躯体軸組最上部の梁材に直接、柱勝ちとなるように固定し、さらに耐風柱の高さ方向の適宜中間位置は、耐風柱よりも断面の小さい集成材からなる柱つなぎ材によって水平方向に連結し、
それらの耐風柱によって開口面に作用する風圧に抵抗することを特徴とする吹抜け開口部の軸組構造。
【請求項２】
耐風柱の表面を屋内側にあらわし仕上げとした、請求項１に記載の吹抜け開口部の軸組構造。
【発明の詳細な説明】
【技術分野】
【０００１】
本発明は、木造建物の吹抜け空間に面して外壁に背の高い開口部を設ける場合の軸組構造に関する。
【背景技術】
【０００２】
木質軸組構造、またはこれに準じた木構造の建物において、内部に吹抜け空間を設け、その吹抜け空間に面した外壁に、上下階にわたる背の高い窓を設ける場合、窓に作用する大きい風圧への抵抗手段が必要となる。かかる手段として、従来は以下のような補強構造が採用されている。
【０００３】
［Ａ］図３に示すように、窓９１の中間の高さに耐風梁９２を架設して、窓の両側部の柱材９３を連結する。この耐風梁９２は、縦長の矩形断面を有する。
【０００４】
［Ｂ］窓の屋内側に、上下階を連続する複数本の通し柱を立設する。これらの通し柱には、105mm 角ないし120mm 角の角材が利用される。
【０００５】
［Ｃ］ツーバイフォー工法においては、壁フレーム材として使用される２０４材（38mm×89mm）や２０６材（38mm×140mm ）を、３本ないし４本束ねて釘で結合し、これを補強柱として立設する。
【０００６】
また、特許文献１には、吹抜け空間に面する開口部ではないが、木造軸組躯体にカーポートのような大開口を設ける場合の構造として、該開口の両側の柱材の断面形状を間口方向に長い矩形とすることが記載されている。
【特許文献１】登録実用新案第３０７２５９５号公報
【発明の開示】
【発明が解決しようとする課題】
【０００７】
上記［Ａ］の補強構造に用いられる耐風梁は、その矩形断面における弱軸方向（短辺方向）が窓に作用する風圧の方向と合致するように架設されるので、風圧に対する強度が満足に得られず、窓の開口面積を大きくとりにくい。また、上下階にまたがる窓が、高さのある耐風梁によって中間部分で分断されてしまうので、上下方向の連続性が損なわれ、意匠的に好ましくない。
【０００８】
上記［Ｂ］の補強構造に用いられる通し柱は、長さに比して断面積が小さいので、風圧に対する強度が弱く、座屈を招きやすい。所定の強度を確保するには、通し柱の断面積を大きくし、その本数を増やす必要があるので、窓の解放感や採光性が損なわれることになる。
【０００９】
上記［Ｃ］の補強構造に用いられる補強柱も、風圧方向に対する部材断面が小さいので、満足すべき強度が得られない。また、ツーバイフォー材は製材であるから、材長が長い場合は反りやねじれが生じる可能性も高い。さらに、部材をあらわし仕上げとして利用したくとも、部材自体の質感や意匠性に劣り、高級感を演出しにくい。
【００１０】
上記特許文献１記載の構造は、鉛直荷重や間口方向の水平荷重には有効であるが、開口面に直交する方向に作用する風圧に対しては有効な抵抗力を期待できない。
【００１１】
本発明は上記のような問題に鑑みてなされたもので、吹抜け空間に面して背の高い窓のような開口部を設けるに際し、該開口部に作用する大きい風圧に対して高い抵抗力を発揮し、かつ開口部の解放感や意匠性にも優れる軸組構造を提供するものである。
【課題を解決するための手段】
【００１２】
上記した目的を達成するため、本発明の吹抜け開口部の軸組構造は、木造の躯体軸組を有する２階建て以上の建物に吹抜け空間を設け、該吹抜け空間に面した外壁に２階層以上の高さにわたって開口部を設ける場合の軸組構造であって、断面の長軸寸法が短軸寸法の少なくとも２倍以上である中断面または大断面の構造用集成材からなる耐風柱を、上下階にわたって途切れなく連続するように、かつ、断面の長軸方向が開口面と直交するようにして、開口部の両側部を含む開口面内に複数本、立設し、それら耐風柱の柱脚は、適宜の柱脚金物を介して、鉄筋コンクリート製の基礎に直接、固定する一方、それら耐風柱の柱頭は、適宜の柱梁金物を介して軒桁またはこれに準ずる躯体軸組最上部の梁材に直接、柱勝ちとなるように固定し、さらに耐風柱の高さ方向の適宜中間位置は、耐風柱よりも断面の小さい集成材からなる柱つなぎ材によって水平方向に連結し、それらの耐風柱によって開口面に作用する風圧に抵抗することを特徴とする。
【００１３】
この発明における耐風柱は、２階層以上の高さにわたって連続する通し柱であり、その矩形断面における長軸方向を開口面と直交する方向、つまり風圧の作用方向に向けて立設される。したがって、耐風柱が風圧に対して強軸使いとなり、高い強度が得られる。これにより、大きくて解放感のある開口部を設けることができる。
【００１４】
さらに、この耐風柱は集成材を加工して形成されるので、従来一般の製材に比べて強度が均質であり、反りやねじれも生じにくい。また、耐風梁を屋内側または屋外側に向けてあらわし仕上げとする場合でも、美麗で良好な質感が得られる。断面の長軸方向が短軸方向の２倍以上となる集成材は、いわゆる集成材工法において、主に梁材として利用される材料であるから、その工場加工も従来の加工ラインを利用して効率的かつ経済的に行うことができる。
【００１５】
なお、集成材には構造用集成材と造作用集成材とがあるが、本発明の軸組構造に用いられるのは構造用集成材である。構造用集成材の規格については、平成８年農林水産省告示第１１１号に「構造用集成材のＪＡＳ」として制定されている。この規格では、断面の短辺が１５ｃｍ以上、かつ断面積が３００平方ｃｍ以上のものが「大断面集成材」、断面の短辺が７．５ｃｍ以上、長辺が１５ｃｍ以上であって、大断面集成材以外のものが「中断面集成材」、断面の短辺が７．５ｃｍ未満または長辺が１５ｃｍ未満のものが「小断面集成材」と定められているが、本発明に係る耐風柱として好適に利用しうるのは中断面以上の構造用集成材である。
【００１６】
耐風柱は、開口部の寸法に応じ、開口部の両側部を含めて開口面内に複数本立設される。耐風柱の本数が多い場合、それらの耐風柱は、高さ方向の適宜中間位置で、水平方向の柱つなぎ材により連結されてもよい。柱つなぎ材は、矩形断面を縦長にして架設されるのが好ましいが、その断面寸法は耐風柱よりもはるかに小さくて済む。柱つなぎ材の位置は、他の梁材等の位置に影響されず、独自に設定することができるので、開口部のデザインにおける自由度も制限されにくい。
【００１７】
耐風柱の柱脚は、適宜の柱脚金物を介して、基礎に直接、固定され、また、耐風柱の柱頭は、適宜の柱梁金物を介して、軒桁、またはこれに準ずる躯体軸組最上部の梁材に直接、固定されるのが好ましい。これにより、風圧による水平荷重を基礎及び躯体最上部に直接、伝達することができるので、安定感のある躯体構造となる。
【発明の効果】
【００１８】
上述のように構成される本発明の吹抜け開口部の軸組構造によれば、２階層以上の高さにわたって連続する耐風柱が、その矩形断面における強軸方向を風圧の作用方向に向けて立設されるので、従来一般の軸組構造やツーバーフォー構造に比べて、風圧に対する高い抵抗力が得られる。これにより、開口部の高さ及び幅を大きくすることができ、ダイナミックで解放感に富む吹抜け空間や窓面を設計することができる。
【００１９】
また、集成材からなる耐風柱を利用するので、製材に比べて強度や寸法安定性に優れ、耐風柱をあらわし仕上げとする場合でも、美麗で良好な質感が得られる。
【００２０】
さらに、他の軸組部分よりも耐風柱の奥行き（見込み寸法）が大きくなることを利用して、この奥行き寸法内にブラインドやパネルラジエータ等の窓関連設備を納めることも可能になる。
【発明を実施するための最良の形態】
【００２１】
以下、本発明の実施の形態について図を参照して説明する。
【００２２】
図１は、本発明の実施形態に係る木造建物の外観立面略図、図２は上記建物の吹抜け開口部の軸組構造を屋内側から見た部分分解斜視図である。
【００２３】
この建物１は２階建てで、屋内に２階層分の吹抜け空間が設けられ、この吹抜け空間に面する外壁に、２階層分にわたる縦長の開口部２が設けられる。図２において、符号３は本発明の要部を構成する耐風柱、符号４は鉄筋コンクリート製の基礎、符号５は躯体軸組の最上部に配置される軒桁、符号６は外壁の軸組を構成する胴差である。
【００２４】
耐風柱３は、開口部２の両側部と、この例では開口部２を幅方向に略三等分する中間位置に、計４本配置される。耐風柱３は、例えば長軸360mm ×短軸120mm の矩形断面を有する集成材からなり、断面の長軸方向を開口面と直交させて立設される。耐風柱３の断面寸法は例示の限りではないが、長軸寸法が短軸寸法の概ね２倍以上、好ましくは２．５倍〜３．５倍であるものが強度的にも好適である。
【００２５】
耐風柱３は、２階層分にわたり一材で途切れなく連続している。耐風柱３の柱脚は、適宜の柱脚金物７を介して鉄筋コンクリート製の基礎４に固定され、柱頭は、適宜の柱梁金物８を介して、この例では軒桁５に対し、柱勝ちとなるように接合されている。
【００２６】
符号９は、耐風柱３同士を水平方向に連結する柱つなぎ材である。柱つなぎ材９は、耐風柱３よりも断面寸法の小さい部材で、この例では、胴差６と同程度か、胴差６よりも小断面の集成材が利用される。柱つなぎ材９は、耐風柱３の側面に、適宜の柱梁金物１０を介して接合される。柱つなぎ材９の取付高さは、上下階間に設けられる床組等の高さには影響されず、耐風柱３の高さ方向における適宜の中間位置を設定することができる。
【００２７】
このようにして構成される開口部２は、耐風柱３の強軸方向が開口面と直交しているので、開口面に作用する風圧に対して高い抵抗力を発揮する。これにより、大きくて解放感に富む開口部２を設計することができる。耐風柱３の断面寸法や配置間隔等を適切に設定すれば、開口部２の高さを３階層以上にすることも可能である。
【００２８】
なお、開口部２に取り付けられる窓サッシ類については、図示を省略しているが、耐風柱３の屋外側、屋内側、及び奥行き寸法内のいずれにも設置することができる。集成材からなる耐風柱３は、インテリア及びエクステリアの両方に利用できるので、この点でも有利であるが、屋内側または屋外側に露出した耐風柱３の表面を適宜の仕上材でカバーすることも、もちろん可能である。
【図面の簡単な説明】
【００２９】
【図１】本発明の実施形態に係る木造建物の外観立面略図である。
【図２】上記建物の吹抜け開口部の軸組構造を屋内側から見た部分分解斜視図である。
【図３】従来の開口部の補強構造の一例を示す木造建物の外観立面略図である。
【符号の説明】
【００３０】
２    開口部
３    耐風柱
４    基礎
５    軒桁
７    柱脚金物
８    柱梁金物
９    柱つなぎ材
【図１】
0004432845.tif 000002
【図２】
0004432845.tif 000003
【図３】
0004432845.tif 000004